(57)【要約】【課題】筐体の前側開口部から遊技ユニットを所定の装着位置まで押し込む動作によって筐体に対し遊技ユニットを締結することができる遊技機を提供する。【解決手段】筺体１０と、その筐体１０の前側開口部から押し込み操作によって装着可能で、かつ引き出し操作によって取り外し可能な遊技ユニット２０と、を備える。筐体１０と遊技ユニット２０との間には締結具を配設した。【選択図】        図１
2004267341.tif 000002
【特許請求の範囲】
【請求項１】
筺体と、その筐体の前側開口部から押し込み操作によって装着可能で、かつ引き出し操作によって取り外し可能な遊技ユニットと、を備えた遊技機であって、
前記筐体と前記遊技ユニットとの間には締結具を配設したことを特徴とする遊技機。
【発明の詳細な説明】
【０００１】
【発明の属する技術分野】
この発明は、例えば、スロットマシン、あるいはそれに類する遊技機に関する。
【０００２】
【従来の技術】
この種の遊技機において、遊技機の新旧交換等に際し、遊技機全体を交換することなく、遊技に関する主要部を構成する回胴（リールとも呼ばれている）回転装置を備えてユニット化された遊技ユニットを筺体に対し着脱交換可能に構成した遊技機が知られている（例えば、特許文献１参照）。
このような遊技機において、筐体の前側開口部から遊技ユニットが押し込み操作によって装着可能で、かつ引き出し操作によって取り外し可能に構成された遊技機が知られている（例えば、特許文献２参照）。
【０００３】
【特許文献１】
特開平６−２３１３４号公報（第３頁、図１−２）
【特許文献２】
特開２００２−０００７９７公報（第３−４頁、図１）
【０００４】
【発明が解決しようとする課題】
ところで、筺体に対し遊技ユニットが着脱交換可能に構成された遊技機において、筐体の前側開口部から遊技ユニットが所定の装着位置まで押し込まれた状態で、筺体に対し遊技ユニットを不測に引き出されることがないように締結する必要がある。
このため、筺体と遊技ユニットとの間に締結装置、例えば、ターンバックル形式の締結装置を配設し、筐体の前側開口部から遊技ユニットが所定の装着位置まで押し込まれた状態で、締結装置を締結操作して筐体に遊技ユニットを締結することが考えられる。
しかしながら、筐体の前側開口部から遊技ユニットが所定の装着位置まで押し込まれた状態で締結装置を締結操作する際、遊技ユニットを構成している各種の構成部材が締結操作の妨害物となる場合がある。
【０００５】
この発明の目的は、前記問題点に鑑み、筐体の前側開口部から遊技ユニットを所定の装着位置まで押し込む動作によって筐体に対し遊技ユニットを締結することができる遊技機を提供することである。
【０００６】
【課題を解決するための手段】
前記目的を達成するために、手段１の発明に係る遊技機は、請求項１に記載のとおりの構成、すなわち、
「筺体と、その筐体の前側開口部から押し込み操作によって装着可能で、かつ引き出し操作によって取り外し可能な遊技ユニットと、を備えた遊技機であって、前記筐体と前記遊技ユニットとの間には、同筐体の前側開口部から前記遊技ユニットを押し込む装着方向へは同遊技ユニットの押し込みを許容し、前記遊技ユニットを引き出す方向へは相互に係合して同遊技ユニットの引き出しを阻止する筐体側締結具と遊技ユニット側締結具とがそれぞれ取り付けられ、
前記筐体側締結具と前記遊技ユニット側締結具とのうち、少なくとも一方の締結具は、これら両締結具の締結状態を解消するように破断可能に形成されていることを特徴とする遊技機。」を要旨とする。
したがって、筐体の前側開口部から遊技ユニットを所定の装着位置まで押し込むことで、筐体側締結具と遊技ユニット側締結具とが相互に係合する。これによって、筐体に対し遊技ユニットが装着位置に締結保持されるため、遊技ユニットが不測に引き出される不具合が生じない。
また、筐体の前側開口部から遊技ユニットを引き出して取り外す場合、筐体側締結具と遊技ユニット側締結具とのうち、破断可能に形成された締結具を破断して、これら両締結具の締結状態を解消することで、筐体の前側開口部から遊技ユニットを引き出して取り外すことができる。
【０００７】
また手段２の発明に係る遊技機は、手段１に記載の遊技機であって、筐体側締結具と遊技ユニット側締結具とのうち、少なくとも遊技ユニット側締結具は、これら両締結具の締結状態を解消するように破断可能に形成されている。
したがって、筐体の前側開口部から遊技ユニットを引き出して取り外す場合、遊技ユニット側締結具を破断して、両締結具の締結状態を解消することで、筐体の前側開口部から遊技ユニットを引き出して取り外すことができる。
また、遊技ユニット側締結具を破断して遊技ユニットを取り外すことで、その遊技ユニット側締結具の破断状態が目視によって確認することができる。
また、遊技ユニット側締結具が一度破断されると、そのままの状態で遊技ユニットを再度使用すると、遊技ユニットが締結不能となる。言い換えると、遊技ユニット側締結具が一度破断されると、遊技ユニットが再度使用することができなくなる。
このため、取り外した遊技ユニットを再利用（再使用）する場合には、遊技機製造メーカから遊技ユニット側締結具を取り寄せて破断された遊技ユニット側締結具と脱着交換して再利用しなければならない。このようなことから、遊技機製造メーカとしては、例えば、遊技ユニットの再利用の履歴を残すことが可能となる。また、遊技機製造メーカにおいてのみ遊技ユニット側締結具の取り付けを可能とする取り決めを設定することによって、遊技ユニットの再利用の際には、その遊技ユニットが不正改造されていないチェックすることが可能となり、遊技ユニットの不正改造を防止することが可能となる。
【０００８】
手段３の発明に係る遊技機は、手段２に記載の遊技機であって、遊技ユニット側締結具は、筐体側締結具と対向する側からのビスの締め付けによって遊技ユニットに固定されている。
したがって、筺体に対し遊技ユニットが装着された状態、すなわち締結状態にあるときには、その遊技ユニット側締結具のビスの頭部が筐体側締結具と対向する側に位置するため、そのビスがドライバー等の工具によって不測に緩められて遊技ユニット側締結具が外されることを防止することができる。言い換えると、遊技ユニット側締結具が不測に外され、筺体に対し遊技ユニットが不正に交換される不具合を防止することができる。
【０００９】
手段４の発明に係る遊技機は、手段１〜３のいずれかに記載の遊技機であって、筐体側締結具と遊技ユニット側締結具との相互には、筐体に対し遊技ユニットを装着位置に向けて押し込み案内するための案内部が形成されている。
したがって、筐体側締結具と遊技ユニット側締結具との相互の案内部によって筐体に対し遊技ユニットを装着位置に向けて押し込み案内することができる。言い換えると、筐体側締結具と遊技ユニット側締結具とが締結機能と案内機能とを兼ね備える。このため、筺体と遊技ユニットとの間に専用の案内部材を配設する箇所を少なくしたり、あるいは専用の案内部材を配設する必要をなくすことも可能となる。この結果、専用の案内部材を製作して組み付ける手間を軽減することができ、その分だけコスト低減を図ることが可能となる。
【００１０】
【発明の実施の形態】
この発明の実施の形態を図面にしたがって説明する。
図１はスロットマシンあるいはそれに類する遊技機の筺体に対し上下の両扉体が開放された状態を示す斜視図である。図２は遊技機の正面図である。図３は遊技機の側面図である。
図１〜図３において、遊技機は、筺体１０、遊技ユニット２０、コイン払出装置６０、上扉体５０及び下扉体６２等を備えて構成されている。
図１と図４に示すように、筺体１０は、天板１１、底板１２、左右の両側板１３、１４及び背面板１５によって前方開口する略方形箱形に形成され、その左右の両側板１３、１４の間の略中間高さ位置には棚板１６が略水平状をなして固定状態で架設されている。
また、棚板１６の左右両側部には、次に述べる遊技ユニット２０を出し入れ案内するための凹状の案内レール１７がそれぞれ形成されている。
【００１１】
筺体１０内部の棚板１６よりも上方において、その棚板１６上には、筺体１０の前側開口部から押し込み操作によって装着可能で、かつ引き出し操作によって取り外し可能な遊技ユニット２０が設置されかつ後述する締結装置７０によって締結された状態で装着されている。
図４と図５に示すように、遊技ユニット２０は、その本体部（フレーム部）をなすユニット本体枠２１に対し、回胴回転装置４０、制御基板ボックス３０、上扉体５０等が組み付けられて構成され、ユニット化されている。
【００１２】
図４と図５に示すように、ユニット本体枠２１は、上枠部２２、底枠部２３、左右の両側枠部２４、２５、前枠部２６及び後枠部２７を備えて略直方体形状の枠状に形成されている。このユニット本体枠２１の底枠部２３の奥側の左右両側部には棚板１６の案内レール１７上を滑走可能なローラ３５が回転可能に装着され、同底枠部２３の前側の左右両側部には棚板１６の案内レール１７上に設置される脚体３６が突設されている。
また、ユニット本体枠２１の底枠部２３上には回胴回転装置４０がその装置フレーム部において固定状態で取り付けられている。この回胴回転装置４０は、周知のように、そのフレーム部に、複数（例えば、３つ）の回胴体４１（回転リール、回転ドラム等とも呼ばれる）を並列状に備えている。これら複数の回胴体４１の外周面には、それぞれ複数の図柄が表示されている。
また、ユニット本体枠２１の後枠部２７の前側上部には、回胴回転装置４０の複数の回胴体４１を個別に回転駆動する回胴モータ（ステッピングモータ）や後述するコイン払出装置６０の払出モータ等を作動制御する制御基板が収納された制御基板ボックス３０が装着されている。
【００１３】
また、この実施の形態において、図５に示すように、ユニット本体枠２１の前側（筺体１０の前側上半部に対応する部分）には、上扉体５０がその一側において上扉用ヒンジ機構４５によって開閉可能に装着されている。また、上扉体５０の自由端側には、同上扉体５０の前側に設けられたシリンダー錠（図示しない）によって施錠・解錠操作される施錠フック５８を有する施錠装置５５が配設されている。そして、上扉体５０は、その施錠装置５５が解錠されることで、上扉用ヒンジ機構４５を開閉支点としてユニット本体枠２１の前方に開放されるようになっている。
また、図５に示すように、上扉体５０の所定位置には、回胴回転装置４０の複数の回胴体４１の図柄を透視可能な透し窓５１が形成されるとともに、その透し窓５１の上方には遊技演出等に関する図柄を変動表示するための表示面５２ａを有する前面に有する表示装置（例えば液晶パネル装置）５２が配設されている。
【００１４】
図１と図３に示すように、筐体１０と遊技ユニット２０との間には、筺体１０に対し遊技ユニット２０を装着位置に締結する締結装置７０が配設されている。この締結装置７０は、筐体１０の前側開口部から遊技ユニット２０を押し込む装着方向へは遊技ユニット２０の押し込みを許容し、遊技ユニット２０を引き出す方向へは相互に係合して遊技ユニット２０の引き出しを阻止する筐体側締結具７１と遊技ユニット側締結具８０とを備えて構成されている。
また、筐体側締結具７１と遊技ユニット側締結具８０とのうち、少なくとも一方の締結具は、これら両締結具の締結状態を解消するように破断可能に形成されている。
【００１５】
この実施の形態において、図７と図８に示すように、筺体１０の両側板１３、１４の内壁面に沿って筐体側締結具７１がそれぞれ固定状態で取り付けられている。
筐体側締結具７１は、合成樹脂材、金属材等よりなり、前後方向に長い帯板状に形成されて、その前後両側部には取付孔が貫設された取付部７２が形成されている。そして、筐体側締結具７１は、各取付部７２において、筺体１０の内側から同筺体１０の両側板１３、１４の内壁面にビス７７によって取り付けられている。
また、図６に示すように、筐体側締結具７１の両取付部７２の間には締結部７３が形成されている。この締結部７３は、複数の締結歯７４が平断面略鋸歯状をなして前後方向に配列されて形成されている。さらに、各締結歯７４の前側には傾斜面をなす滑走面７６が形成され、後側には前後方向に略直交する締結面７５が形成されている。
【００１６】
一方、図７と図８に示すように、遊技ユニット２０の両側面、すなわち、ユニット本体枠２１の左右の両側枠部２４、２５の外側面には、前記した筐体側締結具７１に対応する位置において遊技ユニット側締結具８０がそれぞれ固定状態で取り付けられている。
遊技ユニット側締結具８０は、合成樹脂材、金属材等、好ましくは破断が容易な合成樹脂材より一体に形成されている。
図６に示すように、遊技ユニット側締結具８０は、筐体側締結具７１の上下両面を案内面７９として摺動可能な摺動用凹部８４を構成する基体部８１と、上下の両脚部８２、８３とを一体に備えて断面略コの字状に形成されている。そして、案内面７９と摺動用凹部８４を案内部として筐体１０に対し遊技ユニット２０を装着位置に向けて押し込み案内するようになっている。
また、基体部８１の前後方向略中央部には、筐体側締結具７１の締結部７３の各締結歯７４の滑走面７６に接して滑走可能でかつ締結面７５に係合する弾性変形可能な締結爪８７が一体に形成されている。
さらに、遊技ユニット側締結具８０の基体部８１の前後部には、取付孔が貫設された取付部８５が上下方向に向けて張り出し状に形成されている。
そして、遊技ユニット側締結具８０は、その各取付部８５において、ユニット本体枠２１の外側（すなわち、筐体側締結具７１と対向する側）からユニット本体枠２１の左右の両側枠部２４、２５の外側面にビス８８によって取り付けられている。
【００１７】
また、筐体側締結具７１の一つの締結歯７４と締結爪８７との締結状態（係合状態）を解消するために、遊技ユニット側締結具８０が容易に破断されるように構成されている。すなわち、基体部８１には締結爪８７の前後両側部位置して開口孔８６が貫設されている。さらに、上下の両脚部８２、８３においても、その前後部分の中間部の高さ寸法が小さくなるように切り欠かれている。これによって、遊技ユニット側締結具８０がその締結爪８７の前後部の例えば切断線Ａ及びＢにおいて基体部８１及び上下の両脚部８２、８３がニッパ等の切断具によって容易に切断される。そして、遊技ユニット側締結具８０が切断線Ａ及びＢにおいて破断されることで、締結歯７４と締結爪８７との締結状態が解消されるようになっている。
また、図７と図８に示すように、ユニット本体枠２１の左右の両側枠部２４、２５には、前記したように遊技ユニット側締結具８０を破断するための開口部９０が形成されている。
【００１８】
また、図１に示すように、筺体１０内部の棚板１６よりも下方において、その筺体１０の底板１２上は複数の回胴体４１の図柄が当たり図柄の組合せとなって停止したときに賞品としてのコインを払い出すためのコイン払出装置６０が前方に引き出し可能に設置されている。
また、筺体１０の前側下半部には、上扉体５０の下端部に略連続状をなして下扉体６２がその一側において下扉用ヒンジ機構６１によって開閉可能に装着されている。
また、下扉体６２の自由端側には、同下扉体６２の前側に設けられたシリンダー錠によって施錠・解錠操作される施錠装置が配設されている。そして、下扉体６２は、施錠装置が解錠されることで、下扉用ヒンジ機構６１を開閉支点として筺体１０の前方に開放されるようになっている。
また、図２と図３に示すように、下扉体６２の前側には作動レバー（スタートレバー）６３、回胴体４１に対応する複数（例えば３つ）のストップボタン６４、コイン投入口６６、コイン受け皿６７、スピーカー等が配設されている（図１及び図２参照）。
【００１９】
この実施の形態に係る遊技機は上述したように構成される。したがって、筺体１０の所定位置に遊技ユニット２０を装着する場合、筺体１０の前側開口部からその棚板１６の左右両側部の案内レール１７に遊技ユニット２０のユニット本体枠２１の左右ローラ３５を滑走させながら所定の装着位置に向けて押し込む。
すると、まず、筐体側締結具７１に遊技ユニット側締結具８０がその摺動用凹部８４において嵌挿される。引き続いて遊技ユニット２０を所定の装着位置に向けて押し込むと、遊技ユニット側締結具８０の締結爪８７が筐体側締結具７１の複数の締結歯７４の滑走面７６に接して滑走しながら奥側に移動する。
そして、図７と図８に示すように、筺体１０の前端面にユニット本体枠２１の前枠部２６後面が当接あるいは近接する装着位置まで遊技ユニット２０が押し込まれると、筐体側締結具７１の複数の締結歯７４のうち、一の締結歯７４の締結面７５に遊技ユニット側締結具８０の締結爪８７が係合する。これによって、筺体１０に対し遊技ユニット２０が装着位置に締結保持される。
【００２０】
前記したように、筺体１０に対し遊技ユニット２０を所定の装着位置まで押し込む簡単な操作によって遊技ユニット２０を装着位置に締結保持することができる。
また、遊技ユニット２０の装着状態において、筐体側締結具７１と遊技ユニット側締結具８０との締結力、すなわち、締結歯７４の締結面７５と締結爪８７との係合力によって遊技ユニット２０が不測に引き出される不具合を防止することができる。
【００２１】
前記とは逆に、筺体１０の前側開口部から遊技ユニット２０を引き出して取り外す場合、まず、上扉体５０に対する施錠装置５５をシリンダー錠（図示しない）によって解錠した後、図５に示すように、上扉体５０を上扉用ヒンジ機構４５を開閉支点としてユニット本体枠２１の前方に開放する。
すると、ユニット本体枠２１の左右の両側枠部２４、２５の開口部９０を通して遊技ユニット側締結具８０が部分的に視認可能となる。
ここで、遊技ユニット側締結具８０の締結爪８７の前後部、例えば、図７と図８に示すように、切断線Ａ及びＢにおいて基体部８１及び上下の両脚部８２、８３をニッパ等の切断具によって切断することで、締結歯７４と締結爪８７との締結状態を解消することができる。
ここで、筺体１０の前側開口部から遊技ユニット２０を引き出すことで、遊技ユニット２０を容易に取り外すことができる。
【００２２】
前記したようにして、この実施の形態では、筐体１０の前側開口部から遊技ユニット２０を所定の装着位置まで押し込むことで、筐体側締結具７１と遊技ユニット側締結具８０とが相互に係合する。このため、遊技ユニット２０を押し込む極めて簡単な操作によって筐体１０に対し遊技ユニット２０を締結状態で容易に装着することができる。
また、筺体１０の前側開口部から遊技ユニット２０を引き出して取り外す場合、遊技ユニット側締結具８０を破断して、締結歯７４と締結爪８７との締結状態を解消することで、筺体１０の前側開口部から遊技ユニット２０を引き出して取り外すことができる。
このように筺体１０に対し遊技ユニット２０を着脱することができるため、遊技ユニット２０の新旧交換を極めて容易に行うことができる。
【００２３】
また、この実施の形態において、図７と図８に示すように、筺体１０に対し遊技ユニット２０が装着された状態、すなわち締結状態にあるときには、その遊技ユニット側締結具８０のビス８８の頭部８８ａが筐体側締結具７１と対向する側に位置する。このため、遊技ユニット側締結具８０のビス８８がドライバー等の工具によって不測に緩められて遊技ユニット側締結具８０が外されることを防止することができる。言い換えると、遊技ユニット側締結具８０が不測に外され、筺体１０に対し遊技ユニット２０が不正に交換される不具合を防止することができる。
【００２４】
また、この実施の形態において、筐体側締結具７１と遊技ユニット側締結具８０との相互には、筺体１０に対し遊技ユニット２０を装着位置に向けて押し込み案内するための案内部としての案内面７９と摺動用凹部８４とがそれぞれ形成されている。このため、筐体側締結具７１と遊技ユニット側締結具８０との相互の案内面７９と摺動用凹部８４の嵌合作用によって筺体１０に対し遊技ユニット２０を装着位置に向けて押し込み案内することができる。言い換えると、筐体側締結具７１と遊技ユニット側締結具８０とが締結機能と案内機能とを兼ね備えるため、筺体１０と遊技ユニット２０との間に専用の案内部材を配設する箇所を少なくしたり、あるいは専用の案内部材を配設する必要をなくすことも可能となる。この結果、専用の案内部材を製作して組み付ける手間を軽減することができ、その分だけコスト低減を図ることが可能となる。
【００２５】
なお、この発明は前記実施の形態に限定するものではない。
例えば、筐体側締結具７１と遊技ユニット側締結具８０の形状や構造は前記した実施の形態以外であってもよい。すなわち、筐体１０の前側開口部から遊技ユニット２０を押し込む装着方向へは同遊技ユニット２０の押し込みを許容し、遊技ユニット２０を引き出す方向へは相互に係合して同遊技ユニット２０の引き出しを阻止する構造であれば、筐体側締結具と遊技ユニット側締結具をどのように構成してもよい。
また、筐体側締結具７１と遊技ユニット側締結具８０の配設位置も適宜に設定すればよく、例えば、筺体１０の背面板１５と、ユニット本体枠２１の後枠部２７との間に筐体側締結具と遊技ユニット側締結具とをそれぞれ配設してもよい。また、筺体１０の天板１１とユニット本体枠２１の上枠部２２との間に筐体側締結具と遊技ユニット側締結具とをそれぞれ配設してもよい。
また、前記実施の形態においては、筐体側締結具７１と遊技ユニット側締結具８０と締結状態を解消するために、遊技ユニット側締結具８０を破断可能に形成したが、これに限るものではなく、筐体側締結具７１を破断可能に形成してもよく、また、筐体側締結具７１と遊技ユニット側締結具８０とを共に破断可能に形成してもよい。
また、前記実施の形態では、ユニット本体枠２１の前側に上扉体５０が開閉可能に装着される場合を例示したが、上扉体５０を筺体１０の前側に開閉可能に装着してもよい。さらに、上扉体５０と下扉体６２との分割することなく、１つの扉体を筺体１０の前側に開閉可能に装着してもよい。
また、前記実施の形態において、筺体１０は、天板１１、底板１２、左右の両側板１３、１４及び背面板１５によって前方開口する略方形箱形に形成される場合を例示したが、筺体１０の形状は限定するものではなく、例えば、天板１１や底板１２がない構造にしてもよい。
また、筺体１０の天板１１をなくした場合、遊技ユニット２０のユニット本体枠２１の上枠部２２において天板部を設定することが可能である。
ユニット本体枠２１の上枠部２２に天板部を設定した場合においても、筐体側締結具７１と遊技ユニット側締結具８０との相互の案内面７９と摺動用凹部８４の嵌合作用によって筺体１０に対し遊技ユニット２０が上方に持ち上げられて取り外される不具合を防止することができる。
【００２６】
【発明の効果】
以上述べたように、この発明によれば、筐体の前側開口部から遊技ユニットを所定の装着位置まで押し込むことで、筐体側締結具と遊技ユニット側締結具とが相互に係合するため、遊技ユニットを押し込む極めて簡単な操作によって筐体に対し遊技ユニットを締結することができる。
しかも、筐体の前側開口部から遊技ユニットを引き出して取り外す場合、筐体側締結具と遊技ユニット側締結具とのうち、破断可能に形成された締結具を破断して、これら両締結具の締結状態を解消することで、筐体の前側開口部から遊技ユニットを引き出して取り外すことができる。
【図面の簡単な説明】
【図１】この発明の実施の形態に係る遊技機の筺体に対し扉体が開放された状態を示す斜視図である。
【図２】同じく遊技機の正面図である。
【図３】同じく遊技機の側面図である。
【図４】同じく遊技機の筺体に対し遊技ユニットを取り外した状態を示す斜視図である。
【図５】同じく遊技ユニットを示す斜視図である。
【図６】同じく筐体側締結具と遊技ユニット側締結具とを分離して示す斜視図である。
【図７】同じく筐体側締結具と遊技ユニット側締結具との係合状態を示す平断面図である。
【図８】同じく筐体側締結具と遊技ユニット側締結具との係合部を拡大して示す平断面図である。
【符号の説明】
１０  筺体
２０  遊技ユニット
２１  ユニット本体枠
４０  回胴回転装置
４１  回胴体
７１  筐体側締結具
７３  締結部
７４  締結歯
７９  案内面（案内部）
８０  遊技ユニット側締結具
８４  摺動用凹部（案内部）
８７  締結爪
【図１】
2004267341.tif 000003
【図２】
2004267341.tif 000004
【図３】
2004267341.tif 000005
【図４】
2004267341.tif 000006
【図５】
2004267341.tif 000007
【図６】
2004267341.tif 000008
【図７】
2004267341.tif 000009
【図８】
2004267341.tif 000010